Podtech/llm-jp-corpus-v4-ja_patent huggingface dataset:
(57)【要約】      （修正有）【課題】ペーパーの先端部がすぐにわかり、つまみ易く、ミシン目で楽にカットできるとともにホルダー中のペーパー量を一目でわかるようにする。【解決手段】ホルダー本体にカバー支持軸を付け、片側一方だけでカバーは上下に動く様に固定し、本体にセットしたロールペーパーから、ペーパーをカバー後ろからカバー上部に引き出し、カバーの上で２重・３重にしてカバー先端にある切歯に軽く押し下げる構造とした。【選択図】図１
0003115512.tif 000002
【実用新案登録請求の範囲】
【請求項１】
ペーパホルダー本体（１）にカバー支持軸（３）を片側一方だけでカバー（２）を上下に動くように固定させたホルダーでカバー支持軸（３）の後ろからカバー（２）の上部にペーパーを引き出しカバー先端の切歯（４）によりペーパーを下に押して切断するホルダー。
【請求項２】
本体（１）に予備のロールペーパーを１個から５個位まで複数ストックできるロールペーパーストック軸（５）を設けたストッカーを更に設けたことを特徴とする請求項１に記載のホルダー。
【考案の詳細な説明】
【技術分野】
【０００１】トイレットペーパーホルダー  トイレットペーパーストッカー  ペーパータオルホルダー  アルミホイルホルダー
【背景技術】
【０００２】トイレ使用時ペーパーの先端はカバーの下にありカバーを上げて一方の手でペーパーをつまみ引き出しカバーを手で押えてカットしていました。【０００３】カバーを上げても先端がわかりずらく取出しにくい事もよくありました。【０００４】長く切ったペーパーを２重−３重にするのも思う様にいかなかった。【０００５】ミシン目が入っていてもわかりずらくどこで切れるのかわかりずらかった。【０００６】ホルダーの中のペーパー量がカバーでわかりずらい。【０００７】ホルダーの中のペーパー量が少ない時は予備のロールペーパーを探して回りをキョロキョロしていました。【０００８】カットする時思う様に切れず、ホルダーの中のペーパーをさらに引き出したりしました。
【考案の開示】
【考案が解決しようとする課題】
【０００９】まとめると次の様になります
○予備のロールペーパーが一目でわからないか
○ホルダーの中のペーパー量がすぐわからないか
○ペーパーの先端がすぐわからないか
○ペーパーの先端がつまみやすくないか
○ペーパーを引き出しやすくないか
○ペーパーを２重−３重に簡単にできないか
○ミシン目があればミシン目がすぐわからないか
○ペーパーを楽にカットできないか
○次に使う人も簡単で楽に使えないか
○ホルダーのすぐ近くに予備のロールペーパーを置けないか
【課題を解決するための手段】
【００１０】ホルダー本体にカバー支持軸が片側一方だけで、カバーは上下に動く様に固定した構造。【００１１】本体にセットしたロールペーパーからペーパーをカバー後ろからカバー上部にペーパーを引き出す構造。【００１２】引き出したペーパーはカバーの上で２重−３重にできてカバー自体がロールペーパーを押え回転しにくくして、カバー先端にある切歯によりペーパーを軽く押し下げるだけでカットできる構造。【００１３】カットした後もカバー上部にペーパーが残る構造。【００１４】ロールペーパーのストックが一目で確認できる様、本体の一部にＬ型又は逆Ｔ型のストック軸を設けてロールペーパー１個から３個位ストックできる構造。【００１５】使用法には２つの方法があり、ザラザラした物、ペーパーが２重のダブル物などには第１図の様にペーパーを手前に出してそのままカバー後ろからカバー上部に引き出し使用する方法、又表面がつるつるした物シングルペーパーの物などには第２図の様にペーパーを後ろに出してカバー上部に出して使用する方法で、この２つの方法により全てのトイレットペーパーに対応できる構造。【００１６】この構造を大きく丈夫に作る事によりペーパータオルホルダー・アルミホイルホルダーにも使用できます。
【考案の効果】
【００１７】まとめると次の様になります
○ペーパーの先端がカバーの上に残っているので一目でわかる。
○ペーパーの先端がつまみやすい。
○ペーパーを引き出しやすい。
○カバーの上で２重−３重に簡単に重ねられる。
○カバーがロールペーパーを押える為片手でカバー先端の切歯により軽く下げるだけで楽にカットできる。
○ミシン目があれば見やすくミシン目でカットできる。
○使った後もカバーの上にペーパーが残るので次に使う人も同じ様に簡単で楽に使える。
○一目で予備のロールペーパーがあるか確認できる。
○ロールペーパーのストック軸を長くすれば１個から５個位までストックできる。
○ペーパーホルダーを２つ３つとならべて設置しなくてよくなります。
○ロールペーパーがセットしてあれば以上効果の動作は片手でしかも指２本でできます。
○本考案のホルダーを大型化し丈夫に作るとペーパータオルホルダーやアルミホイルホルダーにもなります。
【実施例】
【００１８】従来のホルダーを考案のホルダーに交換すれば安心で簡単、そして楽にトイレを使用できます。【００１９】老人や子供や体の不自由な人などには大変便利なホルダーでしょう。
【図面の簡単な説明】
【００２０】
【図１】斜面図
【図２】斜面図
【図３】正面図
【符号の説明】
１、ホルダー本体    ２、カバー    ３、カバー支持軸    ４、ペーパー切歯    ５、ロールペーパーストック軸
【図１】
0003115512.tif 000003
【図２】
0003115512.tif 000004
【図３】
0003115512.tif 000005
(57)【要約】      （修正有）【課題】効果がよく、安価な空気清掃機がもとめられていた。【解決手段】一方の端に換気扇Ａを持ち、他方の端に網戸Ｂを持つ管Ｄの中間の部に殺菌燈Ｃを装着した構造の空気清掃機。【選択図】図１
0003115519.tif 000002
【実用新案登録請求の範囲】
【請求項１】
一方の端に換気扇を持ち、他方の端に網戸を持つ管の内部の中間の部に殺菌燈を装着した構造の空気清掃機。
【考案の詳細な説明】
【産業上の利用分野】
環境、衛生に関するものである。
〔従来の技術〕
【０００１】    煙や臭、黴、細菌等に汚された空気をきれいにしたいという願望は昔からあり、色々な工夫がなされてきた。水や油を使ったフィルター、又紙、布、ビニール繊維、金網等によるフィルター等がありこれらが広くもちいられてきた。又イオン静電気を発生させて、空気中のごみ、塵、煙、臭等の他に細菌、黴等も取り去ってきれいな空気を作るものもあり、装置も進歩してきたのである。又我々が先に考案した空気清掃機で空気を電気ヒーターの中に吸い込み空気中のすべてのものを焼き尽くしてきれいな空気を得るものもある。
〔本案が解決しょうとする課題〕
【０００２】    多くの人が集まる所に汚れた空気は体の弱い人や病人にとっては嫌なものである。何とかしたいという願望があり、色々工夫されてきたが、種々色々なフィルターでは効果は不十分であったが、一方イオン発生器や、電気ヒーターをもった機械は強力ではあるが、猶高価という難点があるのである。そこで特に細菌、黴に対して強力で安価なものが求められていたのである。
〔課題を解決するための手段〕
【０００３】    さて、細菌や黴に対して特に強いもののなかに殺菌燈があるが、この強力な武器を使って、空気中の細菌や黴を退治しようとするのである。
【０００４】    そこでまず換気扇と殺菌燈と、管とを用意するのである。管の一方の端には網戸をつけ、他の端には換気扇をつける。その管内の中央部のところに殺菌燈をつけるのである。そこで換気扇を回すと、空気は網戸のあるいり口より管内に入り換気扇のある部分より管外へとでるのである。汚れた空気も網戸のあるいり口より管内にはいり、殺菌燈のある中央部を通り、換気扇のある出口を通って管外へでるのであるが途中の殺菌燈のある中央部で殺菌消毒されて、きれいな空気となって管外へでていくのである。
〔実施例〕
【０００５】    直系１５ｃｍの管の中に殺菌燈を置いて、これを管にしっかり固定する。そしてこの管の一方の端に換気扇を蜜に接着固定する。管の他方の端は網戸をつけ、少し曲げて外から殺菌燈の光が見えないようにするのである。そして換気扇を回せば空気は管の網戸のある入り口より吸い込まれて殺菌燈のある場所を通り出口へでていくのである。この間に空気は殺菌消毒されてきれいな空気となっていくのである。
〔考案の効果〕
【０００６】    汚れた空気、ことに殺菌や黴をたくさん含んだ空気はいやなものである。特に人の多く集まるところ、例えば病院、介護施設、会議室等はきれいな空気がのぞましい。本考案の空気清掃機を用いればこの目的は十分たっせられる。構造は簡単、製作は容易安価である。
【図面の簡単な説明】
【０００７】    〔図１〕                  斜位図
〔図２〕                  正面図
〔図３〕                  側面図
〔図４〕                  水平面図
【符号の説明】
Ａ・・・・・・・換気扇
Ｂ・・・・・・・網戸
Ｃ・・・・・・・殺菌燈
Ｄ・・・・・・・管
【図１】
0003115519.tif 000003
【図２】
0003115519.tif 000004
【図３】
0003115519.tif 000005
【図４】
0003115519.tif 000006
(57)【要約】      （修正有）【課題】職場で休憩時間に疲れた足を休めるための、椅子に腰掛けて足を乗せられる足休め具の提供。【解決手段】ウレタンのクッション本体１の内部に補強用の木製の支持材を入れて、布製のベルト４に吸盤５を付けたものをクッション本体１の裏側にネジで取り付ける。使用するには、中段の机の引出し１０の面に吸盤で吸着させクッション本体１の一端を固定する。次に下段の引出し１１を開けることによりクッション本体１は水平になると共に下段の引出し１１の上端１２で固定され、足を休ませるクッションの台が提供される。【選択図】図５
0003115514.tif 000002
【実用新案登録請求の範囲】
【請求項１】
ウレタンが入っているクッション本体内部に木製の支持材を入れ、吸盤を付けたベルトとガイド部を取り付けた足休め具
【考案の詳細な説明】
【技術分野】
【０００１】  本考案は、スチール製の机の引出しを使用する足休め具に関する。
【背景技術】
【０００２】  従来、職場で休憩時間に足を休めるときには、椅子に腰掛けて机の上に足を乗せたりもう一つ椅子を用意してその椅子の上に足を乗せて休めていた。
【考案の開示】
【考案が解決しようとする課題】
【０００３】  しかし、机の上に足を乗せているのは行儀が悪く見える。またもう一つ椅子を用意するにしても他人の椅子の上に足を乗せるのは気が引けるし、場所もとり不便である。
【課題を解決するための手段】
【０００４】  そこで、ウレタンが入っているクッション本体内部に木製の支持材を入れ、吸盤を付けたベルトとガイド部を取り付けた足休め具を考案した（図１）。
【考案の効果】
【０００５】  よって、本考案の足休め具により、中段の閉じた状態の机の引出し面に吸盤で吸着させクッション本体の一端を固定する（図４）。次にその状態のままで下段の机の引出しを開けていき、引出しの上部をガイド部へ挿入しもう一方のクッション本体の一端を固定する（図５）、（図６）。以上のように簡単な動作で、クッション本体は水平に固定され足を乗せて休ませることが出来る。このとき、クッション本体内部の下部には木製の支持材が入っているため、足の重みでクッション本体が曲がったり変形することはない。また吸盤と合成樹脂製のガイド部を使用することで、スチール製の机を傷つけない。さらに、本考案の足休め具を使用しないときには、机の側面や内面のじゃまにならない場所に、吸盤で吸着させて格納することができるので便利である（図３）。以上のように机等の引出しを使用することにより、場所もとらずに簡単に足を休めるクッションを提供する。吸盤の使用により格納も簡単であり机も傷つけない。
【考案を実施するための最良の形態】
【０００６】  本考案に係る足休め具は、図１に示すように布製のクッション本体１の内部にクッション材のウレタン２と木製の支持材３を入れる。布製のベルト４の一端に吸盤５を留め具７で取り付けたものを、クッション本体１の布の外側から支持材３へネジ８で取り付ける。布製のベルト４を取り付けた反対側に合成樹脂製のガイド９を同じく支持材３へネジ８で取り付ける。本考案を使用するには、図４に示すように閉めた状態の中段の引出し１０の面に吸盤５を吸着させて固定する。クッション本体１は、垂直にぶら下がった状態となる。そのままの状態で、下段の引出し１１を開けていくとクッション本体１は下段の引出し１１が開けられるに従い、下段の引出し１１の上端１２に押し上げられ水平となる。このとき布製のベルト４はクッション本体１の動きに同調して折れ曲がり図６の４のような状態となる。さらに下段の引出し１１を開けていきガイド部９に下段の引出し１１の上端１２が触れたところでクッション本体１をすこし持ち上げながら、さらに開けるとガイド部９は前後の高さが図６の９に示すように最初に引出し１１に触れる面が低くなっており反対側が高くなっている為、下段の引出し１１の上端１２がガイド部９に挿入されて固定され図６のような状態となる。このとき、クッション本体１の内部には、ウレタンだけではなく木製の支持材３が入っている為、クッション本体１の上に足を乗せてもクッション本体１は、ウレタンだけのときのように折れ曲がったり変形したりしない。以上のように吸盤を机の中段の引出しに吸着させ下段の引出しを開けるだけで簡単に足を休める場所を提供できる。また、かたずける時は布製のベルト４を持ち、もう片方の手で吸盤５についている空気注入タブ６を引き吸着を解除し、ベルト４を持ち上げれば簡単に引出しから取り外せる。格納するには、図３に示すように机の側面や内面のあいているスペースに吸盤で、吸着して吊るしておけばよい。【０００７】  木製の支持材は、合成樹脂板や鉄板ならびにアルミ板でも良い。【０００８】  吸着補助板を使用すれば木製の机にも使用できる。
【図面の簡単な説明】
【０００９】
【図１】  本考案に係る足休め具の側面図で一部分断面図である。
【図２】  本考案に係る足休め具の正面図である。
【図３】  本考案に係る足休め具の格納状態の斜視図である。
【図４】  本考案に係る足休め具の斜視図である。
【図５】  本考案に係る足休め具の斜視図である。
【図６】  本考案に係る足休め具の使用中の側面図である。
【符号の説明】
【００１０】      １    クッション本体
２    ウレタン
３    木製の支持材
４    布製のベルト
５    吸盤
６    空気注入タブ
７    留め具
８    ネジ
９    ガイド部
１０  中段の引出し
１１  下段の引出し
１２  下段の引出しの上端
１３  机の側面
１４  机本体
【図１】
0003115514.tif 000003
【図２】
0003115514.tif 000004
【図３】
0003115514.tif 000005
【図４】
0003115514.tif 000006
【図５】
0003115514.tif 000007
【図６】
0003115514.tif 000008
(57)【要約】【課題】  シャンプーハットの内側をハサミで切る困難と手間を解消し、切らなくても頭のサイズに応じて適度に拡がるようにする。【解決手段】ハットの頭部分の後部にスリット４を設けて柔軟性をもたせ、２〜３才の幼児から小学生くらいの子供まで使用できるようにした。【選択図】  図１
0003115515.tif 000002
【実用新案登録請求の範囲】
【請求項１】
頭のサイズに応じて適度に拡がるように、頭部分の後部にスリットを設けたシャンプーハット。
【考案の詳細な説明】
【技術分野】
【０００１】本考案は、シャンプーハット（柔らかい樹脂製）の頭部分の後部にスリットを設けて適度に拡がるようにし、サイズに応じてピッタリ合うよう柔軟性をもたせたものである。
【背景技術】
【０００２】従来は、頭部分の円周のサイズが約４１ｃｍと固定しているため、きつすぎる場合は、ハットの内側をハサミで切って、円を大きくなければならなかった。
【考案の開示】
【考案が解決しようとする課題】
【０００３】頭のサイズに合わせてハットの内側をハサミで切ることは、かなり困難で手間がかかる。また切りすぎて頭とのあいだにすき間ができると、使用できなくなる難点があった。
【課題を解決するための手段】
【０００４】ハットの頭部分の後部にスリット４を設けることによって、頭のサイズに応じて適度に拡がるようにし、ハサミで切る困難と手間をなくした。
【考案の効果】
【０００５】スリット４を設けることでかぶせ易くなり、スリットを中心に柔軟に拡がるため、２〜３才の幼児から小学生くらいの子供まで使用できる。また付属品を一切使わず、形も極めてシンプルである。
【実施例】
【０００６】スリット４の形については、柔軟性があり、強く引っ張っても破れず、可愛らしさもある半円形とした。この他、Ｕ字形、Ｖ字形、だ円形、正方形、長方形などでもよい。スリットは大きいほどよく拡がる。しかし、大きすぎるとブカブカになる。なお、スリットは後部に設けるので、シャンプーやお湯が流れても支障がない。
【図面の簡単な説明】
【０００７】
【図１】シャンプーハットの平面図である。
【符号の説明】
【０００８】  １  シャンプーハット本体
２  拡がる部分
３  頭を入れる穴
４  スリット
【図１】
0003115515.tif 000003
(57)【要約】【課題】磁気カードが、携帯用スキマーによってスキミングされるのを防ぐ。【解決手段】磁気カードをダイヤルロックキー付き保護ケースで固定。磁気部分にダイヤルロックキーが位置し、この厚みで携帯用スキマーへの挿入を防ぎ、磁気情報を守る。【選択図】図１
0003115513.tif 000002
【実用新案登録請求の範囲】
【請求項１】
磁気情報をもつカードが、携帯用読み取り機（ハンディー型スキマー）への挿入によってスキミングされることを防ぐ、ダイヤルロックキー付きカード保護ケース。
【考案の詳細な説明】
【技術分野】
【０００１】  本考案は、クレジットカード、キャッシュカードのスキミング機への挿入防止を目的とする。
【背景】
【０００２】  近年、カード被害が急増しているにもかかわらず、カードの携帯方法が改善されていない。個人自らカードを守ることが強く求められている。
【考案の開示】
【考案が解決しようとする課題】
【０００３】  従来のカードを財布等に入れている状態では、体から貴重品を放すような場所（ゴルフ場、サウナ、エステ、マッサージ店等）でのセーフティーボックスから、カードが第三者の手に渡ったとき、磁気情報をスキミングされ、かつ、悪用されているのに当事者が気付くまでには一ヶ月以上かかるのが現実であった。
【課題を解決する為の手段】
【０００４】  保護ケースおよびダイヤルロックキー部分の凹凸によって携帯用スキマーへの挿入を防ぐ。
【考案の効果】
【０００５】  この保護ケースをカードに装着させ携帯するならば、スキミングからカードを守ることが出来る。また、万が一保護ケースが破られていた時、どのカードが不正使用されたか容易に分かりカード会社等への迅速な手続きが出来る。
【考案を実施するための最良の形態】
【０００６】  本考案は、図１に示すように、携帯用スキマーにカードが挿入されないように、カード磁気部分を一定の厚みでカバーする。これをダイヤルロックキー１が受け持つ。すなわち、ダイヤルロックキーの厚みを利用して、スキマーへの挿入を阻止する。
また、普段のカード利用の利便性を考えて、鍵ではなく、ダイヤルロックで、すぐ開錠出来るようにする。
図２の開錠時、約１センチの間５があれば、プラスチックカード素材の歪曲する特性を活かしてカードを少し曲げながら、保護ケースから出すことが出来る。
施錠時、図３のＵの字型のレバー６が、カードを抱え込みながら保護ケースに収めるので、開錠口から容易にカードをこじ開けることが出来ない。
【図面の簡単な説明】
【０００７】
【図１】本考案の保護ケースを上から見た状態。
【図２】同保護ケースを開錠して、カードが取り出せるようになった状態。
【図３】開錠した保護ケースを手前から水平に見た状態。
【符号の説明】
【０００８】  １    ダイヤルロックキー
２    開錠する際に左親指で押し広げるレバー
３    保護ケース
４    磁気カード
５    開錠時のカード取り出しスペース
６    Ｕの字型レバー
【図１】
0003115513.tif 000003
【図２】
0003115513.tif 000004
【図３】
0003115513.tif 000005
(57)【要約】      （修正有）【課題】案内標識板を直接コンクリート壁、ブロックに接着剤で張ったり、止持台を必要としない案内標識器を提供する。【解決手段】コの字型に折り曲げる共に、しかも表面に案内標識板１を貼り付け、又は標識を直接印刷した取付器具２を構成し、この取付器具をコンクリート・ブロック３に上方よりハメ込みする。【選択図】図２
0003115520.tif 000002
【実用新案登録請求の範囲】
【請求項１】
コの字型に折り曲げると共に、しかも表面に案内標識を貼り付け、又は直接印刷した取付器具を構成し、この取付器具を、コンクリート・ブロックに上方より、ハメ込みした案内標識器具。
【請求項２】
取付器具をコ字型金属枠と、逆Ｌ字型の合成樹脂製標識枠とでなしたことを請求項１記載の案内標識器具。
【考案の詳細な説明】
【技術分野】
【０００１】  交通、建物、禁止等の案内表示を行う案内標識器具に関する
【背景技術】
【０００２】  従来の案内標識板は薄い平らなプラスチック等で接着剤でコンクリート等につけていたが、コンクリートの表面が凸凹で付けにくく、又は剥がしにくかった。又空間には止持台も別に必要であった。
【考案の開示】
【考案が解決しようとする課題】
【０００３】  案内標識板に直接コンクリート・ブロックに接着したり、止持台を必要としない。
【課題を解決するための手段】
【０００４】  コの字型に折り曲げると共に、しかも表面案内標識を貼り付け、又は直接印刷した取付器具を構成し、この取付器具をコンクリート・ブロックに上方よりハメ込みする。
【考案の効果】
【０００５】  交通案内、建物案内、禁止案内等印刷により自由に多量生産でき、又共通の取付金具は簡単に大量に生産出来る。取付簡単、コンクリート・ブロックにハメるだけ盗難防止はセメントで固定する。立体的に上部も表面も案内標識の効果が出来る。
【考案を実施するための最良の形態】
【０００６】  図１に示す様、Ｌ型の標識板の表面には文字、図形などの標識を印刷している。この標識板１を図２に示す下開口のコ字型取付器具２に沿わせて貼り付ける。又はこのコ字型取付器具に直接表面に文字図形を印刷する場合もある。更に図１のコンクリート・ブロック（３）に、このコ字型取付器（２）の下開口より被せる。
【図面の簡単な説明】
【０００７】
【図１】  本考案の標識板を別に付けた斜視図です。
【図２】  本考案の標識板を別に付けた断面図です。
【図３】  本考案の直接取付器具に標識印刷した斜視図です。
【図４】  本考案の直接取付器具に標識印刷した断面図です。
【符号の説明】
【０００８】  １  標識板
２  コの字型に曲げた取付器具
３  コンクリート・ブロック
【図１】
0003115520.tif 000003
【図２】
0003115520.tif 000004
【図３】
0003115520.tif 000005
【図４】
0003115520.tif 000006
(57)【要約】      （修正有）【解決手段】汗や手拭き用の布面を本体としたことを特徴とする物入れ用袋。【効果】本考案の物入れ用袋は、少量の買物ならレジ袋を不要にすることができ、かつ男子でも抵抗なく邪魔にならず持ち歩くことができる。【選択図】図１
0003115518.tif 000002
【実用新案登録請求の範囲】
【請求項１】
物入れ用の袋部を形成する表裏の布部分であって、しかもその部分は、汗や手拭き用の面としたことを特徴とする物入れ用袋。
【考案の詳細な説明】
【技術分野】
【０００１】  本考案は、携帯に便利な物入れ用袋に関する。
【背景技術】
【０００２】  従来のコンパクトになる携帯に便利な物入れ用袋は、そのほとんどが買物専用であり、買物を目的としている人あるいは買物を意識している人しか携帯しておらず、バッグや服のポケットに入れて持ち歩く人は僅かであるものと考えられる。【０００３】  例えば、まちを歩く学生、サラリーマンなどでそうした物入れ用袋を日常的に持ち歩く人は皆無であると考える。
【考案の開示】
【考案が解決しようとする課題】
【０００４】  平成１７年６月１３日に環境相の諮問機関である中央審議会がレジ袋の有料化案をまとめた。また、経済産業相の諮問機関である産業構造審査会においても同様の方針としており、有料化することにより消費者のレジ袋を抑制する狙いで２００６年度から２００７年度に実施を目指している。【０００５】  スーパーやコンビニエンスストアのレジ袋が有料化された場合、環境保全の意識が高まる今日においては、すぐにごみとして捨てることとなるレジ袋の購入に対して抵抗感が生じ消費マインドが低下する可能性が懸念される。【０００６】  例えばコーヒー缶１本ならレジ袋は必要としないが、２，３本となるとレジ袋が必要となる。パンと牛乳などを買う場合でもレジ袋は必要となる。【０００７】  常に倹約意識を持っている主婦などは、バッグ等の中に買い物用の袋を持ちあわせている人も多いと考えられるが、男子の学生やサラリーマンなどは、買物などをするための袋を常時持ち合わせていることに抵抗感を感じる人も多いと考えられる。【０００８】  本考案は、男子の学生やサラリーマンでも、持つことに抵抗感がない物入れ袋であり、環境保全に少なからず資するものである。
【課題を解決するための手段】
【０００９】  男子の学生やサラリーマンが抵抗なく持ち歩きできる物入れ袋とは、ハンカチやタオルなどに用いる布を２重にして２辺に開放部を持たせたものである。【００１０】  このため、普段はハンカチやタオルとして使用し、コンビニエンスストアで買物したときの品物や何かの物を持ち歩く時には物入れ用袋として使用する。【００１１】  これにより、将来においてレジ袋が有料化になっても少しの買物なら抵抗なくできることとなる。
【考案の効果】
【００１２】  上述したように本考案の物入れ用袋は、少量の買物ならレジ袋を不要にすることができ、かつ男子でも抵抗なく邪魔にならず持ち歩くことができる。【００１３】  こうした考案により、消費マインドの低下を防ぎ、かつ環境保全に少なからず寄与することとなる。
【考案を実施するための最良の形態】
【００１４】  以下、本考案の実施の形態を図１に基づいて説明する。【００１５】  袋本体１は、物入れ空間部２を２枚の表裏の布部３で成している。而して、この表裏の布部３の表側は、汗や手拭き用の面としている。【００１６】  物入れ空間部２は、表裏の布部３を２辺の縫い合せライン４を縫製して形成している。【００１７】  補強縫合部５は、表裏の布部３の４隅に施す。縫い合せライン４の両端と中間部の角は、綻びを防止するためのものであり、縫い合せライン４の対角部分の補強縫合部５を手持ちの部分とする。【００１８】  以上により袋本体１を形成する。【００１９】  布部３を大きくすれば大きな物が入る袋となり、小さくすれば小物の持ち運びに便利であると共に、布部３の面が小さくハンカチのような布であればハンカチとして使用することができ、面が大きくタオルのような布であればスポーツの際のタオルとして使用することができる。
【図面の簡単な説明】
【００２０】
【図１】は、本考案の全体図である。
【符号の説明】
【００２１】１  袋本体
２  物入れ空間部
３  布部
４  縫い合せライン
５  補強縫合部
【図１】
0003115518.tif 000003
(57)【要約】      （修正有） 【課題】幟旗が風にあおられて巻き上がったり、ポールに絡みついたりするのを防止する。【解決手段】搦め織り織布で、その一面が、１つのタテ糸に、他のタテ糸であるポリウレタンゴム糸をタテ方向に対して左斜め方向、右斜め方向と交互に斜行を繰り返すように搦めて形成し、ポリウレタンゴム糸の斜行部分は織布の表面に出ており、方向転換部分はヨコ糸によって押さえられている、構造を持つ。この面を内側（ポールと接触する側）にしたチチを形成する。【選択図】図１
0003115817.tif 000002
【実用新案登録請求の範囲】
【請求項１】
幟旗をポールに取り付けるチチが織布からなり、チチのポールとの接触面が、下記（イ）〜（ハ）の構造を全面または部分的に配置されて有することを特徴とする幟旗のチチ。
（イ）タテ糸の上面に、ポリウレタンゴム糸をタテ方向に対して左斜め方向、右斜め方向と交互に斜行を繰り返すように搦めて形成し、
（ロ）上記斜行するポリウレタンゴム糸の方向転換部をヨコ糸が押さえており、
（ハ）ポリウレタンゴム糸の斜行部が織布の表面の最上面に現出している。
【考案の詳細な説明】
【技術分野】
【０００１】
本考案は、ポールに取り付けられた幟旗が、風で巻き上がるのを防止する幟旗のチチに関する。
【背景技術】
【０００２】
幟旗が風にあおられて巻き上がったりして旗の内容が見えない事態が屡々おこり、これに対処する発明、考案が多数存在する。例えば、チチとポールの間に絡み防止具をつける（特許文献１）、チチに樹脂材の帯や真鍮、ステンレス鋼板、薄板鋼板などの弾性のある材料を使う（特許文献２）、旗の下端で竿に隣接する部分に錘をとりつける（特許文献３）、あるいは、最下部のチチに所要の重量を持たせる（特許文献４）などである。一方、和服の着崩れ防止や、ズボン等のずり落ち防止などに使用するポリウレタン裸糸を用いた搦め織りの滑り止め体が提案されている（特許文献５）。
【特許文献１】特開２００４−２５８１６０号公報
【特許文献２】特開２０００−２４２２００号公報
【特許文献３】特開２００４−２８６８６７号公報
【特許文献４】特開平１１−１３３９０１号公報
【特許文献５】特許３３５９６１２号公報
【考案の開示】
【考案が解決しようとする課題】
【０００３】
幟旗が風にあおられて巻き上がったり、ポールに絡みついたりするのを防止するためにいろんな提案があるが、必ずしも解決に至っていない場合や面倒な細工を要する場合などがある。本考案は、この問題を簡単、かつ、効果的に解決しようとするものである。
【課題を解決するための手段】
【０００４】
幟旗をポールに取り付けるチチを織布で形成し、チチのポールとの接触面を、接触面全面または部分的に配置された形で、下記（イ）〜（ハ）の構造とすることによって課題を解決する。
（イ）タテ糸の上面に、ポリウレタンゴム糸をタテ方向に対して左斜め方向、右斜め方向と交互に斜行を繰り返すように搦めて形成し、
（ロ）上記斜行するポリウレタンゴム糸の方向転換部をヨコ糸が押さえており、
（ハ）ポリウレタンゴム糸の斜行部が織布の表面の最上面、即ち、ポールとの接触面に現出している。
【０００５】
ここに、幟旗とは、幟に類する一切のものを指し、ポールとは、竿等の幟旗を支える一切のものを指すものとする。
【０００６】
上記の課題解決手段として用いる織布は、特許文献５に提案された滑り止め体の織布である。幟旗が風で巻き上がらず、ポール等に巻き付かないためには、（１）チチがポールの長手方向に移動せず、且つ、（２）ポールの周りには自由に回転することが必要である。本考案は、この滑り止め体の織布が（１）、（２）の機能を有することを見出し、幟旗のチチとして好適であることを見出したものである。
【考案の効果】
【０００７】
ポリウレタンゴム糸は防滑性があり、チチのポールとの接触面が、左右に交互に斜行するポリウレタンゴム糸を織布表面の最上面に現出した構造となっているので、この凸状部がポールの長手方向へのチチの移動を妨げる滑り止め効果を発揮し、一方、ポールの円周方向の回転は自在に保たれ、風による旗の巻き上がりやポールへの巻き付きがなくなる。
【０００８】
所定幅に織られた織布を適宜に裁断し、ループ状にして幟旗の縁辺に取り付けるだけであるから、極めて簡単に作業できる。
【０００９】
本考案のチチは、幟旗に取り付けられている複数個のチチの少なくとも最下部のチチに使用する。勿論、その他のチチに使用することを妨げない。
【考案を実施するための最良の形態】
【００１０】
実施例を図によって説明する。図１は、本考案のチチのポールとの接触面を示す模式図である。タテ糸とヨコ糸の織り構造が模式的に示されている。図２は、幟旗をポールに取り付けた一部省略図である。図１の接触面１について説明する。１つのタテ糸Ａの上面（ポールとの接触面側）に、他のタテ糸であるポリウレタンゴム糸Ｂを、左右に繰り返し斜行するように搦ませて特殊なタテ糸（以下、特殊タテ糸と言う）を形成する。この特殊タテ糸２を通常の通常タテ糸３の３本毎に１本配置する。通常タテ糸３と特殊タテ糸２の配置比率は、防滑効果に応じて適宜に決める。通常タテ糸３を使用しないこともある。
【００１１】
特殊タテ糸２の斜行部２１は、タテ糸Ａの上面に出ているために、織布表面の最上部にあって、ポールに接触する。特殊タテ糸２の方向転換部２２は、ヨコ糸の下にあってヨコ糸によって押さえられている。
隣り合う２本の特殊タテ糸２では、ポリウレタンゴム糸Ｂの斜行方向を原則的に逆方向に形成し、防滑効果の全体的なバランスを保つ。
【００１２】
タテ糸Ａ，Ｂ，３及びヨコ糸からなる上述の構造の織物は、搦め織りによって織られる。ポリウレタンゴム糸には、旭化成工業（株）製の商品名「ロイカ」（ＨＳハイソフト、クリアタイプ）を使用しており、８４０デニールである。
【００１３】
搦め織りの織布は、幅約３５ｍｍの長尺物で両端に耳がついている。これを適宜の長さに裁断し、ループ状にして両裁断部を幟旗の縁辺に縫い付けて幟旗のチチ４とする。本考案のチチは、所定の効果を挙げるためには、少なくとも最下部のチチ４１に使用することが必要である（図２参照）。
【図面の簡単な説明】
【００１４】
【図１】本考案のチチのポールとの接触面を示す模式図
【図２】幟旗をポールに取り付けた一部省略図
【符号の説明】
【００１５】
１    チチのポールとの接触面
２    特殊タテ糸（２１斜行部、２２方向転換部）
３    通常タテ糸
４    チチ（４１最下部のチチ）
【図１】
0003115817.tif 000003
【図２】
0003115817.tif 000004
(57)【要約】【課題】  外衣の襟刳り形状に合わせて前身頃や後身頃の上端の高さを調節することができ、デザイン的にも変化させることが可能で興趣にとんだキャミソールを提供すること。【解決手段】  前身頃２及び後身頃３の脇刳りに沿って筒部５を形成すると共に、筒部５に肩紐６の下部を挿通し、前身頃２及び後身頃３の内、少なくとも一方の筒部５を肩紐６に対して摺動可能とする。【選択図】          図２
0003115862.tif 000002
【実用新案登録請求の範囲】
【請求項１】
前身頃及び後身頃の脇刳りに沿って筒部を形成すると共に、該筒部に肩紐の下部を挿通し、前記前身頃及び後身頃の内、少なくとも一方の筒部を前記肩紐に対して摺動可能としたことを特徴とするキャミソール。
【考案の詳細な説明】
【技術分野】
【０００１】
本考案は、キャミソールに関する。
【背景技術】
【０００２】
婦人用下着として、上半身を包む筒状の胴部の上端両側に肩紐を設けたキャミソールが知られている。
このようなキャミソールは、外衣で完全に隠して着用するのが一般的であるが、近年、キャミソールの上部を外衣の襟元に露出させることが流行している。
ところが、従来のキャミソールは、肩紐に対する前身頃及び後身頃の位置、ならびに、襟刳りの形状を変えることができなかったので、外衣の襟刳りの深さや形状に応じて、あるいは、外衣の襟元に露出させるか否かによって、多くのキャミソールの内から最適なものを選ぶ必要があった。
【考案の開示】
【考案が解決しようとする課題】
【０００３】
本考案が解決しようとする課題は、外衣の襟刳り形状に合わせて前身頃や後身頃の上端の位置を調節することができ、デザイン的にも変化させることが可能で興趣にとんだキャミソールを提供することにある。
【課題を解決するための手段】
【０００４】
本考案のキャミソールは、前身頃及び後身頃の脇刳りに沿って筒部を形成すると共に、該筒部に肩紐の下部を挿通し、前記前身頃及び後身頃の内、少なくとも一方の筒部を前記肩紐に対して摺動可能としてある。
【考案の効果】
【０００５】
本考案によれば、外衣の襟刳りの深さや形状、或いは、外衣の襟刳りから露出させるか否かによって、身頃の上端の高さを調節することができ、１枚のキャミソールでさまざまな外衣や着方に対応することが可能である。
また、身頃の上端を押し下げると、身頃の脇刳りにギャザーが形成されるので、デザイン的な変化も楽しむことができる。
【考案を実施するための最良の形態】
【０００６】
以下、本考案の実施例を図面に基づいて詳細に説明する。図１は、キャミソール１の常態における正面図、図２は、キャミソール１の前身頃変形時における正面図、図３は、キャミソール１の前身頃及び後身頃変形時における正面図である。
キャミソール１は、綿、合成樹脂、あるいはこれらの混紡繊維を素材とする布帛により形成され、図１に示すように、前身頃２及び後身頃３の両側縁を縫着して成る筒状の胴部４を有する。胴部４の上端は、常態において、胸を覆う程度の高さに達する。
【０００７】
前身頃２及び後身頃３の両側の脇刳りに沿って、両端が開口した筒部５をそれぞれ形成する。
筒部５は、前身頃２及び後身頃３の縁部を裏面に折り返して、その先端を縫い止めるか、別体のテープを前身頃２及び後身頃３の裏面に配設して、その両側縁を縫い止めることにより形成する。
【０００８】
前身頃２の上端両側と後身頃３の上端両側との間にそれぞれ肩紐６が掛け渡してある。また、肩紐６の下部は、筒部５内にその両端の開口部を通して挿通される。
さらに、前身頃２の筒部５及び後身頃３の筒部５は、肩紐６に対して摺動可能となっている。
従って、外衣の前身頃の襟刳りが深い場合には、図２に示すように、前身頃２の筒部５を肩紐６に対して摺動させ、キャミソール１が外衣の襟元に露出しないよう、前身頃２の上端を押し下げることができる。この時、前身頃２の脇刳りにはギャザー７が形成されるので、デザイン的な変化を楽しむこともできる。
【０００９】
もちろん、外衣の襟元に前身頃２の上端部を露出させたい場合には、前身頃２の上端の押し下げる量を少なくしたり、図１に示すように前身頃２を押し下げない状態で着用すればよい。
また、後身頃３の上端も、外衣の背部の襟刳りに応じて、筒部５を肩紐６に対して摺動させることにより、押し下げることができる。
なお、背中が大きく刳れた外衣を着用する場合は、前身頃２を押し下げずに、後身頃３の上端を単独で押し下げることも可能であり、図３に示すように、前身頃２及び後身頃３の上端を共に押し下げることもできる。
【００１０】
上記実施例では、前身頃２及び後身頃３の筒部５を肩紐６に対して摺動可能としてあるが、前身頃２の筒部５のみ、或いは、後身頃３の筒部５のみを摺動可能としても良い。
また、肩紐６の太さを筒部５の直径に比べてあまり細くすると、着用中に前身頃２及び後身頃３の上端部が肩紐６に対して滑り落ちる虞があるので、肩紐６の太さと筒部５の直径との関係は、強制的に手でずらさないと摺動できないようにする。
さらに、キャミソール１の素材として滑りやすい布帛を用いた時は、前身頃２及び後身頃３の上端部が図１に示す高さから滑り落ちないように、筒部５の端部と肩紐６とをスナップボタン等の固定具で着脱可能に係止することもできる。
【図面の簡単な説明】
【００１１】
【図１】本考案の実施例を示すキャミソールの常態における正面図。
【図２】本考案の実施例を示すキャミソールの前身頃変形時における正面図。
【図３】本考案の実施例を示すキャミソールの前身頃及び後身頃変形時における正面図。
【符号の説明】
【００１２】
１  キャミソール
２  前身頃
３  後身頃
４  胴部
５  筒部
６  肩紐
７  ギャザー
【図１】
0003115862.tif 000003
【図２】
0003115862.tif 000004
【図３】
0003115862.tif 000005
(57)【要約】      （修正有）【課題】植木鉢の植物に自動で適正な水やりができる給水器と植木鉢が一体になった自動給水器一体型植木鉢で、植木鉢への水やり作業軽減と植木鉢の植物の枯れるのを防止する。【解決手段】プラスチック等適宜素材にて形成された外容器６の底辺中心部に開放部を有し、該開放部の周囲にプラスチック等適宜素材にて形成された植木鉢２を接合し、植木鉢２外壁と外容器６内に水タンク１を形成し、水タンク１の水を含水性ある給水部材５を収納した送水管４の毛細管現象を利用し、植木鉢２上部へ給水する自動給水器と植木鉢２を組み合わせた自動給水器一体型植木鉢で、植木鉢へ適量の水を供給することで植物を枯らすことなく植木鉢２の水管理が容易になる。【選択図】図１
0003115899.tif 000002
【実用新案登録請求の範囲】
【請求項１】
外容器の底面に開放部を有し、該開放部の周囲に植木鉢を接合し、植木鉢外壁と外容器内に水タンクを形成し、送水管内に含水性部材を収納した給水部材の毛管現象にて、水タンクより植木鉢上部へ給水する自動給水器一体型植木鉢。
【考案の詳細な説明】
【技術分野】
【０００１】
本考案は、植木鉢の植物に自動で適正な水やりができる植木鉢と給水器が一体になった自動給水器一体型植木鉢に関するものである。
【背景技術】
【０００２】
旅行や留守のとき、夏の暑い日照りの日が続く時など植木鉢の水やりが気になるところです。水やりが不十分で植物を枯らすことも多々あります。毎日の植木鉢の水管理はなかなか難しいことです。
【０００３】
【特許文献１】特開２００４−５７１８４号公報
【０００４】
【特許文献２】特開２００２−２７８５４号公報
【０００５】
【特許文献３】特開２００１−１６９６７０号公報
【考案の開示】
【考案が解決しようとする課題】
【０００６】
植木鉢の水管理は植物への気遣いをしていても、旅行や急の用件で留守をしなければならない時や、毎日の水やりを忘れることもあり大切な植物を枯らしてしまうことがあります。毛細管現象を利用した小型の自動給水器を植木鉢と組み合わせることで、水やりを気にしなくても植木鉢へ自動で簡単に植木鉢に水やりが可能になり前述の欠点を解決しようとするものである。
【課題を解決するための手段】
【０００７】
本考案は外容器の底面に開放部を有し、該開放部の周囲に植木鉢を接合し、植木鉢外壁と外容器内に水タンクを形成し、送水管内に含水性ある部材を収納した給水部材の毛細管現象を利用し、水タンクより植木鉢上部へ給水する植木鉢自動給水器で、水タンクへの給水は植木鉢に水やりと同時に水補給ができ水タンクへの給水も容易であり、水タンクの水を植木鉢へ送水管より適量給水し、植物を枯らすことがなくなることで問題点を解決している。
【考案の効果】
【０００８】
植木鉢の植物の水管理は大変難しく、旅行や急な用件で留守にすると水やりが不十分となり植物が枯れてしまうため、自動給水器一体型植木鉢を利用することで植木鉢に自動で適量給水でき植物を枯らすことなく植物の姿や花を楽しむことができることに役立つ。水タンクが水冷鉢の役割となり夏の弱い植物の育成を保護することができ、外容器の一辺が植木鉢の直径と同一にすれば植木鉢と同一設置面積で整然と整理できる。
【考案を実施するための最良の形態】
【０００９】
外容器の底面に開放部を有し、該開放部の周囲に植木鉢を接合し、植木鉢外壁と外容器内に水タンクを形成し、送水管内に含水性ある部材を収納した給水部材の毛細管現象を利用し、水タンクより植木鉢上部へ給水する植木鉢自動給水器で、植木鉢への給水が適量となり植物を枯らすことがなくなる
【実施例】
【００１０】
以下、添付図面に従って一実施例を説明する。プラスチック等適宜素材にて形成された外容器６の底面に開放部を有し、該開放部の周囲に植木鉢２を接合し、植木鉢２外壁と外容器６内に水タンク１を形成し、送水管４内に含水性ある給水部材５を収納し水タンク１より植木鉢３上部へ毛細管現象を利用し給水する植木鉢自動給水器で、植木鉢３へ給水が適量となり植物を枯らすことがなくなる  
【図面の簡単な説明】
【００１１】
【図１】本考案の自動給水器一体型植木鉢の一実施例を示す立体斜視図である。
【図２】本自動給水器一体型植木鉢の利用断面図である。
【符号の説明】
【００１２】
１  水タンク
２  植木鉢
３  植木鉢水抜き穴
４  送水管
５  給水部材
６  外容器
【図１】
0003115899.tif 000003
【図２】
0003115899.tif 000004
(57)【要約】      （修正有） 【課題】植木鉢の植物に自動で適正な水やりができる水タンクと送水管を有する自動給水器を設け、植木鉢の植物の枯れるのを防止する。【解決手段】プラスチック等適宜素材にて形成された外容器６の底面に植木鉢３の底面より大きな開放部を設け、該開放部の周囲に植木鉢収納空間を有する内壁２を接合し、外容器６と内壁２で水タンク１を形成し、内壁２内に収納した植木鉢３上部へ含水性ある給水部材５の毛細管現象を利用し水タンク１より給水する植木鉢自動給水器で、植木鉢３の植物へ適量の水を供給することで植物を枯らすことなく植木鉢３の水管理が容易になる【選択図】図１
0003115898.tif 000002
【実用新案登録請求の範囲】
【請求項１】
外容器の底面に植木鉢の底面より大きな開放部を設け、該開放部の周囲に植木鉢収納空間を有する内壁を接合し、外容器と内壁で水タンクを形成し、送水管内に含水性ある部材を収納した給水部材の毛管現象を利用し、水タンクより内壁内に収納した植木鉢上部へ給水する植木鉢自動給水器。
【考案の詳細な説明】
【技術分野】
【０００１】
本考案は、植木鉢の植物に自動で適正な水やりができる自動給水器に関するものである。
【背景技術】
【０００２】
旅行や留守のとき、夏の暑い日照りの日が続く時など植木鉢の水やりが気になるところです。水やりが不十分で植物を枯らすことも多々あります。毎日の植木鉢の水管理はなかなか難しいことです。
【０００３】
【特許文献１】特開２００４−５７１８４号公報
【０００４】
【特許文献２】特開２００２−２７８５４号公報
【０００５】
【特許文献３】特開２００１−１６９６７０号公報
【考案の開示】
【考案が解決しようとする課題】
【０００６】
植木鉢の水管理は植物への気遣いをしていても、旅行や急の用件で留守をしなければならない時や、毎日の水やりを忘れることもあり大切な植物を枯らしてしまうことがあります。毛細管現象を利用した小型の自動給水器を植木鉢と組み合わせることで、水やりを気にしなくても植木鉢へ自動で簡単に植木鉢に水やりが可能になり前述の欠点を解決しようとするものである。
【課題を解決するための手段】
【０００７】
本考案は外容器の底面に植木鉢の底面より大きな開放部を設け、該開放部の周囲に植木鉢収納空間を有した内壁を接合し、外容器と内壁で水タンクを形成し、送水管内に含水性ある部材を収納した給水部材の毛細管現象を利用し、内壁内に収納した植木鉢の上部へ水タンクの水を給水する植木鉢自動給水器で、水タンクへの給水は植木鉢に水やりと同時に水タンク上部から水補給ができ水タンクへの給水が容易であり、送水管より植木鉢への給水が適量となり植物を枯らすことがなくなることで問題点を解決している。
【考案の効果】
【０００８】
植木鉢の植物の水管理は大変難しく、旅行や急な用件で留守にすると水やりが不十分となり植物が枯れてしまうため、植木鉢自動給水器で植木鉢に自動で適量給水できれば植物を枯らすことなく植物の姿や花を楽しむことができることに役立つ。水タンクが水冷鉢の役割となり夏の弱い植物の育成を保護することができ、外容器の一辺が植木鉢の直径と同一にすれば植木鉢と同一設置面積で整然と整理できる。
【考案を実施するための最良の形態】
【０００９】
外容器の底面に植木鉢の底面より大きな開放部を設け、該開放部の周囲に植木鉢収納空間を有した内壁を接合し、外容器と内壁で水タンクを形成し、送水管内に含水性ある部材を収納した給水部材の毛細管現象を利用し、水タンクより植木鉢上部へ給水する植木鉢自動給水器で、内壁内に植木鉢を収納し送水管より植木鉢への給水が適量となり植物を枯らすことがなくなる。
【実施例】
【００１０】
以下、添付図面に従って一実施例を説明する。プラスチック等適宜素材にて形成された外容器６の底面に植木鉢３の底面より大きな開放部を設け、該開放部の周囲に植木鉢収納空間を有した内壁２を接合し、外容器６と内壁２で水タンク１を形成し、水タンク１より植木鉢３上部へ含水性ある給水部材５の毛細管現象を利用し給水する植木鉢自動給水器で、内壁２内に植木鉢３を収納し送水管４より植木鉢３への給水が適量となり植物を枯らすことがなくなる
【図面の簡単な説明】
【００１１】
【図１】本考案の植木鉢自動給水器の一実施例を示す立体斜視図である。
【図２】本植木鉢自動給水器の利用断面図である。
【符号の説明】
【００１２】
１  水タンク
２  内壁
３  植木鉢
４  送水管
５  給水部材
６  外容器
【図１】
0003115898.tif 000003
【図２】
0003115898.tif 000004
(57)【要約】      （修正有）【課題】加工時間を必要とせず、簡単に取り付けられコストダウンを図ることが出来る。【解決手段】薄肉鋼板を鋼管端部に貼付け、管口に鋼板の一部を折曲して塞ぐようにしたものである。具体的には、複数のスリット１を設けた略四角状の貼付板２と、その貼付板２の一辺より突出する矢印状の遮蔽板３より成り、その貼付板２裏面に粘着ゴムシート４を貼設し、鋼管鉄塔を成す水平材・斜材の鋼管端部に貼付すると共に、遮蔽板３を管口側に折曲配置し、鋼管内への鳥の侵入を防止するものである。【選択図】図１
0003115842.tif 000002
【実用新案登録請求の範囲】
【請求項１】
略四角状の貼付板２と、その貼付板２の一辺より突出する遮蔽板３より成り、該貼付板２裏面に粘着ゴムシート４を貼設し、鋼管鉄塔を成す水平材・斜材の鋼管端部に貼付すると共に、遮蔽板３を管口側に折曲配置し、鋼管内への鳥の侵入を防止することを特徴とする鳥害防止用金具。
【考案の詳細な説明】
【技術分野】
【０００１】
本願は、送電線の鋼管鉄塔の水平材・斜材の鋼管端部に取付けて、鳥の営巣を防止する金具に関するものである。
【背景技術】
【０００２】
以前より送電線の鋼管鉄塔の水平材・斜材の鋼管端部には、鳥害対策として図５に示すような防鳥ブラシを挿入し、百舌・椋鳥等の小型鳥侵入を防止している。
【０００３】
前記防鳥ブラシの取付けに際しては、鋼管の中へ防鳥ブラシを入れ、管口を塞ぐものであるが、特許文献１に記載したように、形状は長尺であり、それを鋼管に適合するように短く切断加工し、使用している。
【０００４】
よって、１基の鋼管鉄塔に取付け箇所が平均１，０００箇所あり、加工および取付け時間が掛かりコストアップになっていた。
【特許文献１】実開昭６１−１６０６７１号公報
【考案の開示】
【考案が解決しようとする課題】
【０００５】
前記したように１基平均１，０００箇所に設けるため時間が掛かる、よって、簡単に取付けられ、時間短縮になりコストダウンを図るものである。
【課題を解決するための手段】
【０００６】
よって本願では、鋼管鉄塔専用の鳥害防止用金具を提供し、作業能率の向上を図りコストダウンとするものである。
具体的には、厚み０．５ｍｍのステンレス鋼板をプレス打ち抜きにより製造したものであり、裏面に粘着ゴムシートを貼設し、鋼管端部に貼り付けるものである。
【考案の効果】
【０００７】
以上のように本願は、鋼管端部に粘着ゴムシートによる貼付けなので、粘着力は非常に高く屋外での長期使用にも安定した性能が得られる。遮蔽板も簡単に折り曲げることができ、素早く取付けることが可能である。
よって、従来品のように、加工時間を必要とせず、簡単に取付けられコストダウンを図ることができる。
【実施例】
【０００８】
本願の実施例を詳記すると、
図１，２に示すように、複数のスリット１を設けた略四角状の貼付板２と、貼付板２の一辺より突出する矢印形状の遮蔽板３より成り、該貼付板２裏面に粘着ゴムシート４を貼設し、鋼管鉄塔を成す水平材・斜材の鋼管端に貼付すると共に、遮蔽板３を管口側に折曲配置し、鋼管内への鳥の侵入を防止するものである。
本願金具は、厚み０．５ｍｍのステンレス鋼板を用い、プレス打ち抜きにより製造したものである。
本願実施例の図面では、遮蔽板３を矢印形状としているが、この形状に限定するものではない。
貼付板２裏面に設ける粘着ゴムシート４は、多少の凸凹表面でも安定した貼付性能を有するものである。
【０００９】
図３は、本願の鳥害防止用金具を貼付した斜視図であり、鳥の侵入を防止できる程度に、鋼管鉄塔の水平材・斜材の鋼管太さによって複数個貼付するものである。
貼付け方は、水平材・斜材の鋼管太さの曲面に応じて、貼付板２のスリット１部で、ペンチ等により折り曲げて、剥離紙５を剥がして鋼管端部に貼付し、続いて遮蔽板３を管口側に手でもって折曲するものである。
また、鋼管端のプレート際で、溶接部等の盛り上がり部で、貼付板２全体が貼付け出来ない時には、スリット１部で切断することによりプレート際に貼付可能である。
【００１０】
図４は本願の他の実施例を示すもので、貼付板２をＨ字状に形成し、鋼管の曲面だけでなく、ドブ付けメッキ（溶融亜鉛メッキ）によってメッキダレを起こし長手方向に対して凸凹や傾斜があっても片方を長手方向に曲げる（捩る）ことができ、より貼付安定性が高くなる。
なお、本実施例も同じく中央のスリット１部で切断可能であり、鋼管端のプレート際の貼付けに対応できるものである。
【００１１】
図５は、従来品の取付け状態図であり、先ず、防鳥ブラシを鋼管の中へ深く押し込み、続いて、手前に引き、最初に折り曲げた針材先端部分をプレートに引っ掛け、管口の外側の針材を上部管口の縁で折り返し固定する。その際、管口までブラシ部分が埋まっているかチェックする。最後に工具を使用し、人の昇降に支障がない様、鋼管の外側に出来るだけ沿うように針材をさらに折り曲げて、取付完了であり、下側も同じ手順で取付けるものである。
【図面の簡単な説明】
【００１２】
【図１】本願鳥害防止用金具の表面斜視図。
【図２】本願鳥害防止用金具の裏面斜視図。
【図３】本願鳥害防止用金具の取付け状態斜視図。
【図４】他の実施例を示す表面斜視図。
【図５】従来品の取付け状態図。
【符号の説明】
【００１３】
１  スリット
２  貼付板
３  遮蔽板
４  粘着ゴムシート
５  剥離紙
Ｋ  鋼管
【図１】
0003115842.tif 000003
【図２】
0003115842.tif 000004
【図３】
0003115842.tif 000005
【図４】
0003115842.tif 000006
【図５】
0003115842.tif 000007